(57)【要約】【課題】サーモクロミック特性およびフォトクロミック特性を示すカプセルを提供する。【解決手段】本発明は、透過性で熱伝導性の液体（Ｌ）、サーモクロミックコーティングを有する粒子（Ａ）およびフォトクロミックコーティングを有する粒子（Ｂ）を含むシェル（ＣＱ）を含むカプセル（ＣＳ）であって、サーモクロミック粒子（Ａ）は、フォトクロミック粒子（Ｂ）より嵩高であり、液体（Ｌ）は、第１の範囲の温度内で、その密度はサーモクロミック粒子（Ａ）の密度より高く、また、フォトクロミック粒子（Ｂ）の密度より高い状態であり、第１の範囲の温度より高い第２の範囲の温度内で、フォトクロミック粒子（Ｂ）の密度は液体（Ｌ）の密度より低く、この液体（Ｌ）はそれ自体、サーモクロミック粒子（Ａ）の密度より低い、カプセル（ＣＳ）に関する。【選択図】図１
2019032318.tif 000002
【特許請求の範囲】
【請求項１】
透過性で熱伝導性の液体（Ｌ）、サーモクロミックコーティングを有する粒子（Ａ）およびフォトクロミックコーティングを有する粒子（Ｂ）を含むシェル（ＣＱ）を含むカプセル（ＣＳ）であって、前記サーモクロミック粒子（Ａ）は、フォトクロミック粒子（Ｂ）より嵩高であり、前記液体（Ｌ）は、第１の範囲の温度内で、その密度は前記サーモクロミック粒子（Ａ）の密度より高く、また、前記フォトクロミック粒子（Ｂ）の密度より高い状態であり、前記第１の範囲の温度より高い第２の範囲の温度内で、前記フォトクロミック粒子（Ｂ）の密度は前記液体（Ｌ）の密度より低く、前記液体（Ｌ）はそれ自体、前記サーモクロミック粒子（Ａ）の密度より低い、カプセル（ＣＳ）。
【請求項２】
前記液体（Ｌ）は、紫外線に対し障壁を形成しない油状混合物である、請求項１に記載のカプセル（ＣＳ）。
【請求項３】
前記液体（Ｌ）は、流動パラフィンおよびグリセロールを含む、請求項２に記載のカプセル（ＣＳ）。
【請求項４】
前記サーモクロミック粒子（Ａ）および前記フォトクロミック粒子（Ｂ）は球形状である、請求項１〜３のいずれか１項に記載のカプセル（ＣＳ）。 
【請求項５】
前記サーモクロミック粒子（Ａ）および前記フォトクロミック粒子（Ｂ）は、１００〜５００ミクロンの直径を有する、請求項４に記載のカプセル（ＣＳ）。
【請求項６】
前記シェル（ＣＱ）は、光ルミネセンス粒子をさらに含む、請求項１〜５のいずれか１項に記載のカプセル（ＣＳ）。
【請求項７】
請求項１〜６のいずれか１項に記載のカプセル（ＣＳ）からなるコーティングを含む側面を含む時計または装身具。
【発明の詳細な説明】
【技術分野】
【０００１】
本発明は、特に時計製造の分野に適用される、サーモクロミック成分およびフォトクロミック成分に関する。
【背景技術】
【０００２】
温度が閾値より高い温度に上昇するかまたはそれより低い温度に下がると可逆的に色を変化させるサーモクロミックカプセルは、既知である。特許文献ＥＰ０６０２５３７Ａ１（特許文献１）は、特に、このようなカプセルに基づいて製造された温度表示装置を備えた時計について記載している。この時計は、それが装着されているか否かにかかわらず、時計が置かれている環境の温度を示すことを可能とする。
【０００３】
光線への曝露に反応して可逆的に色を変えるフォトクロミックカプセルも、既知である。特許文献ＣＨ７１０４８９（特許文献２）は、特に、このようなカプセルに基づいて製造された指示計を含むベゼルを備えた時計について記載している。
【０００４】
しかし、サーモクロミックおよびフォトクロミックの両特性を有し得るカプセルを利用できれば有利であろう。
【先行技術文献】
【特許文献】
【０００５】
【特許文献１】欧州特許出願公開第０６０２５３７Ａ１号明細書
【特許文献２】スイス特許出願公開第７１０４８９号明細書
【発明の概要】
【０００６】
したがって、本発明の目的は、サーモクロミック特性およびフォトクロミック特性を示すカプセルを提供することである。
【０００７】
このために、本発明は請求項１で定めるカプセルに関する。
【０００８】
第１の範囲の温度では、サーモクロミック粒子およびフォトクロミック粒子は、密度が液体の密度より低い状態である。したがって、それらは、液体中で懸濁している状態にある。サーモクロミック粒子は、フォトクロミック粒子より嵩高いので、カプセルにおける支配的な効果は、サーモクロミズムである。
【０００９】
第１の範囲より高い第２の範囲の温度では、その液体は第１の範囲より低い密度を有する。サーモクロミック粒子は、密度が液体の密度より高い状態であり、一方で、フォトクロミック粒子は、密度が液体の密度より低い状態である。したがって、サーモクロミック粒子は沈下し、一方では、フォトクロミック粒子は懸濁状態のまま残り、したがって、カプセル剤における支配的な効果は、フォトクロミズムである。
【００１０】
本発明の他の有利な特徴は、請求項２〜７に示されている。これらの特徴は、独立に、または技術的に可能な全ての組み合わせにより考慮することができる。
【００１１】
その他の顕著な特徴および利点は、例示として述べる、また、何ら限定するものではない、下記に示す添付図に関連して、以降に記載される記述から明確になるであろう。
【図面の簡単な説明】
【００１２】
【図１】図１は、温度が第１の温度範囲内にある場合の、本発明の一実施形態によるカプセルの図である。
【図２】図２は、温度がより高い温度の第２の範囲内にある場合の、図１のカプセルの図である。
【発明を実施するための形態】
【００１３】
図１は、透過性密封シェルを含むカプセルを示す。シェルは、紫外線に対し障壁を形成しない透過性液体を含み、この液体は、熱伝導性であり、Ｔｘと表記される好ましい温度で高い熱膨張を有する。液体は、例えば、融点Ｔｘを有する流動パラフィンとグリセロールとの油状混合物とすることができる。シェルはまた、２種類の粒子を含む。第１の粒子は、サーモクロミックコーティングによりコートされ、これらは、サーモクロミック粒子と呼ばれる。第２の粒子は、フォトクロミックコーティングによりコートされ、これらは、フォトクロミック粒子と呼ばれる。これらの粒子は、球の形で提供され、したがって、より容易に沈下し得る（短冊状粒子とは対照的に）。サーモクロミックおよびフォトクロミックコーティングは、油状媒体に耐えるように選択される。それらはまた、着色遷移閾値（ｃｏｌｏｕｒｅｄ  ｔｒａｎｓｉｔｉｏｎ  ｔｈｒｅｓｈｏｌｄ）を有するように選択される。それにより、特に、カプセルが時計または装身具の側面に配置される場合、その時計または装身具の装着者に便利な情報を与えることが可能となる。この情報は、温度、光の強度、健康にとって危険な紫外線のレベル、などとすることができる。
【００１４】
サーモクロミック粒子およびフォトクロミック粒子は、例えば、１００〜５００ミクロンの直径を有する。さらに、サーモクロミック粒子の体積は、フォトクロミック粒子の体積よりも大きい。最後に、サーモクロミック粒子の密度は、フォトクロミック粒子の密度よりも大きい。
【００１５】
第１の範囲の温度、例えば、０℃〜１０℃の範囲内では、液体の密度は、サーモクロミック粒子の密度より高く、フォトクロミック粒子の密度より高い。したがって、サーモクロミック粒子およびフォトクロミック粒子は、液体中で懸濁状態である。しかし、フォトクロミック粒子は、より大きい体積を有し、その結果、より大きな着色力を有するサーモクロミック粒子によりマスクされる。したがって、カプセルにおける支配的な審美的効果は、サーモクロミズムである。
【００１６】
第１の範囲の温度より高い第２の範囲の温度、例えば、１０℃〜３０℃の範囲内では、液体は、第１の範囲の温度で有していた密度より低い密度を有する。液体の密度は、フォトクロミック粒子の密度より高いが、サーモクロミック粒子の密度より低い状態である。したがって、より高密度のサーモクロミック粒子は、沈降、すなわち、沈下し、シェルの底に堆積する。他方では、フォトクロミック粒子は懸濁状態のまま残る。カプセルにおける支配的な審美的効果は、したがって、フォトクロミズムである。
【００１７】
一実施形態では、シェルは、夜間に着色遷移を見ることを可能とする第３の種類の光ルミネセンス粒子をさらに含むことに留意されたい。
【００１８】
無論、本発明は、例示された実施例に限定されるものではなく、当業者には明らかな種々の代替形態および修正例が可能である。 
【符号の説明】
【００１９】
Ａ  粒子、サーモクロミック粒子
Ｂ  粒子、フォトクロミック粒子
ＣＱ  シェル
ＣＳ  カプセル
Ｌ  液体
【図１】
2019032318.tif 000003
【図２】
2019032318.tif 000004